(57)【要約】【課題】消費電力と制御部の稼働率とを抑えることができるインターネットに接続可能な光ディスク再生装置を提供する。【解決手段】インターネット接続可能なＬＡＮモジュール９と、ＬＡＮモジュール９を制御する制御部６とを備え、光ディスクの再生中であって、インターネット接続が不要な期間中は、ＬＡＮモジュール９の動作が一時停止する光ディスク再生装置。【選択図】図１
2012033214.tif 000002
【特許請求の範囲】
【請求項１】
インターネット接続可能なＬＡＮモジュールと、
前記ＬＡＮモジュールを制御する制御部とを備え、
光ディスクの再生中であって、インターネット接続が不要な期間中は、前記ＬＡＮモジュールの動作が一時停止することを特徴とする光ディスク再生装置。
【請求項２】
前記光ディスク再生装置が、前記ＬＡＮモジュールを利用して、インターネット上の所定のＷｅｂサイトにアクセスし、再生中であるＢＤ−ｒａｙ  Ｄｉｓｃ（登録商標）のコンテンツに対応した補助データをインターネット経由でダウンロードして前記ＢＤ−ｒａｙ  Ｄｉｓｃ以外の記憶装置に記録し、ダウンロードした補助データを利用しながら前記ＢＤ−ｒａｙ  Ｄｉｓｃのコンテンツを再生する特殊再生機能を有する光ディスク再生装置であって、
前記ＢＤ−ｒａｙ  Ｄｉｓｃの再生中であって、インターネット接続が不要な期間中は、前記ＬＡＮモジュールの動作が一時停止することを特徴とする請求項１に記載の光ディスク装置。
【請求項３】
前記ＢＤ−ｒａｙ  Ｄｉｓｃの再生中であって、インターネット接続が不要な期間の少なくとも一つが、
前記ＢＤ−ｒａｙ  Ｄｉｓｃに記録されている本編映像の再生開始から前記本編映像の再生停止またはポップアップメニューの表示開始までの期間であり、
前記ポップアップメニューが前記特殊再生機能の選択項目を含んでいることを特徴とする請求項２に記載の光ディスク再生装置。
【請求項４】
前記ＢＤ−ｒａｙ  Ｄｉｓｃの再生中であって、インターネット接続が不要な期間の少なくとも一つが、
前記ポップアップメニューの表示終了から前記本編映像の再生停止または前記ポップアップメニューの表示再開までの期間である請求項３に記載の光ディスク再生装置。
【発明の詳細な説明】
【技術分野】
【０００１】
本発明は、光ディスク再生装置に関し、特にインターネットに接続可能な光ディスク再生装置に関する。
【背景技術】
【０００２】
ＢＤ−ｒａｙ  Ｄｉｓｃ（登録商標。以下「ＢＤ」という）には、プロファイルと呼ばれる規格が規定されている。ＢＤ−ＲＯＭの最新規格である「ＢＤ−ＲＯＭ  Ｐｒｏｆｉｌｅ  ２．０」には、新たに「ＢＤ−Ｌｉｖｅ」という機能が定義されている。
【０００３】
「ＢＤ−Ｌｉｖｅ」は、再生中であるＢＤのコンテンツに対応した補助データを、ＬＡＮ（Local Area Network）モジュールを利用してインターネット経由でダウンロードして補助記憶装置（容量が１Ｇバイト以上の記憶装置）に記録し、ダウンロードした補助データを利用しながらＢＤのコンテンツを再生する機能である。
【０００４】
ダウンロードされる補助データとしては、例えば、映画の予告編の映像、特典映像、追加言語の字幕や吹き替え、特典映像を見るためにパスワード等がある。
【先行技術文献】
【特許文献】
【０００５】
【特許文献１】特開２００３−２６３８７３号公報
【特許文献２】特開２００９−１５９００号公報
【特許文献３】特開２００２−１４２１４１号公報
【発明の概要】
【発明が解決しようとする課題】
【０００６】
一方、近年の光ディスク再生装置には、光ディスクの再生機能以外に、ＬＡＮモジュールを利用したインターネット経由でのコンテンツのストリーミング再生機能等を有するものがある。従来、このような光ディスク再生装置では、光ディスク再生装置の動作中は常時ＬＡＮモジュールが動作していた。
【０００７】
従来の「ＢＤ−Ｌｉｖｅ」対応光ディスク再生装置においても、同様に、光ディスク再生装置の動作中は常時ＬＡＮモジュールが動作していた。しかしながら、ＢＤの再生中にインターネット接続が必要な場面は限られており、ＬＡＮモジュールの常時動作が光ディスク再生装置のＣＰＵ（Central Processing Unit）資源や消費電力の浪費を引き起こしているという問題があった。
【０００８】
なお、「ＢＤ−Ｌｉｖｅ」対応光ディスク再生装置に限らず、光ディスクの再生中にインターネット接続が必要な場面の限られている光ディスク再生装置全般について同様の問題が生じる。
【０００９】
特許文献１〜３には消費電力の低減技術が開示されているが、光ディスクの再生中にインターネット接続が必要な場面の限られている光ディスク再生装置における消費電力の低減技術については、特許文献１〜３のいずれにも開示も示唆もされていない。
【００１０】
本発明は、上記の状況に鑑み、消費電力と制御部の稼働率とを抑えることができるインターネットに接続可能な光ディスク再生装置を提供することを目的とする。
【課題を解決するための手段】
【００１１】
上記目的を達成するために本発明に係る光ディスク再生装置は、インターネット接続可能なＬＡＮモジュールと、前記ＬＡＮモジュールを制御する制御部とを備え、光ディスクの再生中であって、インターネット接続が不要な期間中は、前記ＬＡＮモジュールの動作が一時停止する構成とする。
【００１２】
このような構成によると、光ディスクの再生中であって、インターネット接続が不要な期間中は前記ＬＡＮモジュールの動作が一時停止するので、消費電力と前記制御部の稼働率とを抑えることができる。
【００１３】
また、前記光ディスク再生装置が、前記ＬＡＮモジュールを利用して、インターネット上の所定のＷｅｂサイトにアクセスし、再生中であるＢＤ−ｒａｙ  Ｄｉｓｃ（登録商標）のコンテンツに対応した補助データをインターネット経由でダウンロードして前記ＢＤ−ｒａｙ  Ｄｉｓｃ以外の記憶装置に記録し、ダウンロードした補助データを利用しながら前記ＢＤ−ｒａｙ  Ｄｉｓｃのコンテンツを再生する特殊再生機能を有する光ディスク再生装置であって、前記ＢＤ−ｒａｙ  Ｄｉｓｃの再生中であって、インターネット接続が不要な期間中は、前記ＬＡＮモジュールの動作が一時停止するようにしてもよい。
【００１４】
また、前記ＢＤ−ｒａｙ  Ｄｉｓｃの再生中であって、インターネット接続が不要な期間の少なくとも一つが、前記ＢＤ−ｒａｙ  Ｄｉｓｃに記録されている本編映像の再生開始から前記本編映像の再生停止またはポップアップメニューの表示開始までの期間であり、前記ポップアップメニューが前記特殊再生機能の選択項目を含んでいるようにしてもよい。
【００１５】
また、前記ＢＤ−ｒａｙ  Ｄｉｓｃの再生中であって、インターネット接続が不要な期間の少なくとも一つが、前記ポップアップメニューの表示終了から前記本編映像の再生停止または前記ポップアップメニューの表示再開までの期間であってもよい。
【発明の効果】
【００１６】
本発明に係る光ディスク再生装置によると、光ディスクの再生中であって、インターネット接続が不要な期間中はＬＡＮモジュールの動作が一時停止するので、消費電力とＬＡＮモジュールを制御する制御部の稼働率とを抑えることができる。
【図面の簡単な説明】
【００１７】
【図１】本発明に係る光ディスク再生装置の一概略構成例を示す図である。
【図２】図１に示す光ディスク再生装置の動作を示すフローチャートである。
【図３】トップメニューの表示例を示す図である。
【図４】トップメニューの表示例を示す図である。
【図５】ポップアップメニューの表示例を示す図である。
【図６】ポップアップメニューの表示例を示す図である。
【発明を実施するための形態】
【００１８】
本発明の実施形態について図面を参照して以下に説明する。本発明に係る光ディスク再生装置の一概略構成例を図１に示す。
【００１９】
図１に示す光ディスク再生装置は、再生機能以外に録画機能も有するＢＤレコーダであって、チューナ１と、映像音声処理部２と、ＯＳＤ（On Screen Display）部３と、出力部４と、光ディスク記録再生部５と、制御部６と、不揮発性メモリ７と、受光部８とを備えている。なお、制御部６には例えばＣＰＵを用いるとよい。
【００２０】
チューナ１は、アンテナ１０から受け取ったテレビ放送信号の選局及び復調（例えばＯＦＤＭ（Orthogonal Frequency Division Multiplexing）復調）を行う。映像音声処理部２は、チューナ１から受け取った映像音声信号又は光ディスク記録再生部５で再生された映像音声信号を出力部４に送ったり、チューナ１から受け取った映像音声信号を光ディスク記録再生部５に送ったりする。ＯＳＤ部３は、制御部６からの指示に基づいて生成したＯＳＤ画像データを出力部４に送る。出力部４は、映像音声処理部２から受け取った映像信号とＯＳＤ部３から受け取ったＯＳＤ画像データとを合成した合成映像信号を外部に出力したり、上記合成処理を行わず映像音声処理部２から受け取った映像信号をそのまま外部に出力したり、上記合成処理を行わずＯＳＤ部３から受け取ったＯＳＤ画像データをそのまま外部に出力したり、映像音声処理部２から受け取った音声信号を外部に出力したりする。出力部４の出力信号は、図１に示す光ディスク再生装置に接続されるテレビ受像機（不図示）に送出される。図１に示す光ディスク再生装置に接続されるテレビ受像機は、出力部４の出力信号に基づく映像表示および音声出力を行う。
【００２１】
光ディスク記録再生部５は、映像音声処理部２から受け取った映像音声信号を光ディスクに記録したり、光ディスクに記録されている映像音声信号を再生したりする。なお、光ディスクは、光ディスク記録再生部５に対して着脱自在に装着される。また、光ディスク記録再生部５は、ＢＤ、ＤＶＤ、ＣＤに対応しており、光ディスクが装着されると光ディスクの種類の判別を行い、判別結果に応じた再生あるいは記録を行う。
【００２２】
受光部８は、リモコン送信機（不図示）から送信されたリモコン赤外線信号を受光して電気信号に変換し、さらにその電気信号から操作コードを抽出して制御部６に出力する。制御部６は、不揮発性メモリ７に格納されている制御プログラム及び各種設定（例えば、各操作コードと各機能との対応関係を示すデータテーブル等）と、受光部８から受け取った操作コードと、図１に示す光ディスク再生装置の本体に設けられている操作キー群（不図示）から出力される信号によって定まる操作コードとに応じて、図１に示す光ディスク再生装置の各部を制御する。
【００２３】
ＬＡＮモジュール９は、ネットワークに接続されたモデム（不図示）を介して容易にインターネットに接続することができる。「ＢＤ−Ｌｉｖｅ」の実行において、制御部６は、ＬＡＮモジュール９を利用して、インターネット上の所定の「ＢＤ−Ｌｉｖｅ」に対応したＷｅｂサイトにアクセスし、再生中であるＢＤのコンテンツに対応した補助データをインターネット経由でダウンロードして不揮発性メモリ７に記録し、ダウンロードした補助データを利用しながらＢＤのコンテンツを再生するための再生動作制御を行う。
【００２４】
以上のような構成である図１に示す光ディスク再生装置の動作について図２に示すフローチャートを参照して説明する。
【００２５】
図１に示す光ディスク再生装置の電源がオン状態になると、図２のフローチャート動作が開始する。
【００２６】
まずステップＳ１０において、ＬＡＮモジュール９が起動する。そして、ステップＳ１０に続くステップＳ２０において、図１に示す光ディスク再生装置が提供する各種サービスを表示するホームメニューを表示するためのＯＳＤ画像データが出力部４から出力され、図１に示す光ディスク再生装置に接続されるテレビ受像機の表示画面にホームメニューが表示される。
【００２７】
ステップＳ２０に続くステップＳ３０において、制御部６は、ユーザがホームメニュー上の光ディスクサービスを選択する操作をリモコン送信機あるいは図１に示す光ディスク再生装置の本体に設けられている操作キー群に対して行った否かを判定する。
【００２８】
光ディスクサービス以外のサービスが選択された場合（ステップＳ３０のＮＯ）、図１に示す光ディスク再生装置は選択されたサービスの処理を実行する（ステップＳ１３０）。選択されたサービスがインターネット経由でのコンテンツのストリーミング再生サービスやインターネットラジオサービスであれば、インターネット接続が必要であるのでＬＡＮモジュール９の動作状態を維持するが、選択されたサービスがインターネット接続を必要としないサービスであれば、ＬＡＮモジュール９の動作を一時停止させるとよい。
【００２９】
一方、光ディスクサービスが選択された場合（ステップＳ３０のＹＥＳ）、制御部６は、光ディスク記録再生部５から情報を取得して、光ディスク記録再生部５に光ディスクが挿入されているか否かを判定する（ステップＳ４０）。そして、光ディスクが挿入されていれば（ステップＳ４０のＹＥＳ）、ステップＳ５０に移行する。
【００３０】
ステップＳ５０において、制御部６は、光ディスク記録再生部５から情報を取得して、光ディスク記録再生部５に挿入されている光ディスクがＢＤであるか否かを判定する。
【００３１】
光ディスク記録再生部５に挿入されている光ディスクがＢＤでなくＤＶＤあるいはＣＤである場合（ステップＳ５０のＮＯ）、制御部６は、ＤＶＤあるいはＣＤに応じた再生や記録を行うように、光ディスク記録再生部５を制御する（ステップＳ１４０）。ＣＤやＤＶＤの再生時にインターネット接続が必要となる可能性がないため、ステップＳ１４０ではＬＡＮモジュール９の動作を一時停止させる。
【００３２】
一方、光ディスク記録再生部５に挿入されている光ディスクがＢＤである場合（ステップＳ５０のＹＥＳ）、ステップＳ６０に移行する。
【００３３】
ステップＳ６０では、制御部６が、光ディスク記録再生部５から情報を取得して、ＢＤに記録されている本編映像の再生が開始されているか否かを判定する。ＢＤには、自動的に本編映像の再生が開始されるものと、トップメニュー中の「ＰＬＡＹ  ＭＯＶＩＥ（本編映像の再生）」を選択して初めて本編映像の再生が開始されるものとがある。
【００３４】
自動的に本編映像の再生が開始されるものであれば、ただちにステップＳ７０に移行する。
【００３５】
これに対して、トップメニュー中の「ＰＬＡＹ  ＭＯＶＩＥ（本編映像の再生）」を選択して初めて本編映像の再生が開始されるものであれば、ステップＳ６０の開始時に、トップメニューを表示するためのＯＳＤ画像データが出力部４から出力され、図１に示す光ディスク再生装置に接続されるテレビ受像機の表示画面に図３に示すトップメニューが表示される。図３において太枠で示されているフォーカス枠は、ユーザがリモコン送信機あるいは図１に示す光ディスク再生装置の本体に設けられている操作キー群を操作することで移動可能である。このフォーカス枠は選択候補を意味しており、選択確定のユーザ操作により、フォーカス枠の項目を選択することができる。図３に示す表示状態において「ＳＰＥＣＩＡＬ  ＦＥＡＴＵＲＥＳ」が選択されると、図４に示す表示状態になり、「ＢＤ  Ｌｉｖｅ」が選択可能となる。この種のＢＤの場合、トップメニュー中の「ＰＬＡＹ  ＭＯＶＩＥ（本編映像の再生）」が選択されると、ステップＳ７０に移行する。
【００３６】
本編映像の再生が一旦開始されると、ポップアップメニューが表示されない限り「ＢＤ−Ｌｉｖｅ」が選択される可能性がないので、ステップＳ７０においてＬＡＮモジュール９の動作を一時停止させる。
【００３７】
ステップＳ７０に続くステップＳ８０において、制御部６は、本編映像の再生を停止させたか否かを判定する。本編映像の再生を停止させた場合（ステップＳ８０のＹＥＳ）、ステップＳ１０に移行する。一方、本編映像の再生を停止させていない場合（ステップＳ８０のＮＯ）、ステップＳ９０に移行する。
【００３８】
ステップＳ９０において、制御部６は、ポップアップメニューが表示されているか否かを判定する。
【００３９】
本編映像の再生中にユーザがリモコン送信機のメニューキーを押下すると、ポップアップメニューを表示するためのＯＳＤ画像データが出力部４から出力され、図１に示す光ディスク再生装置に接続されるテレビ受像機の表示画面に図５に示すポップアップメニューが表示される。図５において太枠で示されているフォーカス枠は、ユーザがリモコン送信機あるいは図１に示す光ディスク再生装置の本体に設けられている操作キー群を操作することで移動可能である。このフォーカス枠は選択候補を意味しており、選択確定のユーザ操作により、フォーカス枠の項目を選択することができる。図５に示す表示状態において「ＳＰＥＣＩＡＬ  ＦＥＡＴＵＲＥＳ」が選択されると、図６に示す表示状態になり、「ＢＤ  Ｌｉｖｅ」が選択可能となる。すなわち、ポップアップメニューの表示中には、インターネット接続が必要となる可能性がある。
【００４０】
このため、ポップアップメニューが表示されている場合（ステップＳ９０のＹＥＳ）、ＬＡＮモジュール９を再度起動させる（ステップＳ１００）。一方、ポップアップメニューが表示されていない場合（ステップＳ９０のＮＯ）、ステップＳ８０に戻り、ＬＡＮモジュール９の動作の一時停止を維持する。
【００４１】
ステップＳ１００に続くステップＳ１１０において、制御部６は、ポップアップメニューが非表示になったか否かを判定する。
【００４２】
ポップアップメニューの表示中にユーザがリモコン送信機のメニューキーを押下すると、ポップアップメニューを表示するためのＯＳＤ画像データが出力部４から出力されなくなり、ポップアップメニューが非表示となる。
【００４３】
ポップアップメニューが非表示になった場合（ステップＳ１１０のＹＥＳ）、再度ポップアップメニューが表示されない限り「ＢＤ−Ｌｉｖｅ」が選択される可能性がないので、ステップＳ１２０においてＬＡＮモジュール９の動作を一時停止させ、その後ステップＳ８０に戻る。
【００４４】
以上のような動作により、ＢＤの再生中であって、「ＢＤ−Ｌｉｖｅ」が選択される可能性がない期間（インターネット接続が不要な期間）中は、ＬＡＮモジュール９の動作が一時停止する。これにより、消費電力とＬＡＮモジュール９を制御する制御部６の稼働率とを抑えることができる。
【００４５】
以上、本発明に係る実施形態について説明したが、本発明の範囲はこれに限定されるものではなく、発明の主旨を逸脱しない範囲で種々の変更を加えて実行することができる。
【００４６】
例えば、上述した実施形態では、「ＢＤ−Ｌｉｖｅ」によりダウンロードした補助データを不揮発性メモリ７に記録したが、光ディスク再生装置にＵＳＢ（Universal Serial Bus）コネクタやＳＤカードスロット等の外部メモリ用インターフェースを備えている場合は外部メモリ用インターフェースに接続される外部メモリに記録してもよい。
【００４７】
また、例えば、上述した実施形態では、一旦ポップアップメニューが表示されると、ポップアップメニューの非表示が指示されるまでポップアップメニューの表示を維持し続けるが、ポップアップメニューの表示開始から所定の時間が経過すると強制的にステップＳ１２０に移行してポップアップメニューを非表示にするようにしてもよく、また、ポップアップメニューの表示開始から所定の時間が経過すると強制的にスクリーンセーバー表示に切り替わりその後何らかのユーザ操作がある迄はスクリーンセーバー表示を維持するようにしてもよい。なお、スクリーンセーバーの表示中は、「ＢＤ−Ｌｉｖｅ」が選択される可能性がなく、インターネット接続が不要であるため、ＬＡＮモジュール９の動作を一時停止させることが望ましい。
【符号の説明】
【００４８】
１  チューナ
２  映像音声処理部
３  ＯＳＤ部
４  出力部
５  光ディスク記録再生部
６  制御部
７  不揮発性メモリ
８  受光部
９  ＬＡＮモジュール
１０  アンテナ
【図１】
2012033214.tif 000003
【図２】
2012033214.tif 000004
【図３】
2012033214.tif 000005
【図４】
2012033214.tif 000006
【図５】
2012033214.tif 000007
【図６】
2012033214.tif 000008
【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
インターネット接続可能なＬＡＮモジュールと、
前記ＬＡＮモジュールを制御する制御部とを備え、
光ディスクの再生中であって、インターネット接続が不要な期間中は、前記ＬＡＮモジュールの動作が一時停止することを特徴とする光ディスク再生装置。
【請求項２】
前記光ディスク再生装置が、前記ＬＡＮモジュールを利用して、インターネット上の所定のＷｅｂサイトにアクセスし、再生中であるＢｌｕ−ｒａｙ  Ｄｉｓｃ（登録商標）のコンテンツに対応した補助データをインターネット経由でダウンロードして前記Ｂｌｕ−ｒａｙ  Ｄｉｓｃ以外の記憶装置に記録し、ダウンロードした補助データを利用しながら前記Ｂｌｕ−ｒａｙ  Ｄｉｓｃのコンテンツを再生する特殊再生機能を有する光ディスク再生装置であって、
前記Ｂｌｕ−ｒａｙ  Ｄｉｓｃの再生中であって、インターネット接続が不要な期間中は、前記ＬＡＮモジュールの動作が一時停止することを特徴とする請求項１に記載の光ディスク装置。
【請求項３】
前記Ｂｌｕ−ｒａｙ  Ｄｉｓｃの再生中であって、インターネット接続が不要な期間の少なくとも一つが、
前記Ｂｌｕ−ｒａｙ  Ｄｉｓｃに記録されている本編映像の再生開始から前記本編映像の再生停止またはポップアップメニューの表示開始までの期間であり、
前記ポップアップメニューが前記特殊再生機能の選択項目を含んでいることを特徴とする請求項２に記載の光ディスク再生装置。
【請求項４】
前記Ｂｌｕ−ｒａｙ  Ｄｉｓｃの再生中であって、インターネット接続が不要な期間の少なくとも一つが、
前記ポップアップメニューの表示終了から前記本編映像の再生停止または前記ポップアップメニューの表示再開までの期間である請求項３に記載の光ディスク再生装置。
【手続補正２】
【補正対象書類名】明細書
【補正対象項目名】０００２
【補正方法】変更
【補正の内容】
【０００２】
Ｂｌｕ−ｒａｙ  Ｄｉｓｃ（登録商標。以下「ＢＤ」という）には、プロファイルと呼ばれる規格が規定されている。ＢＤ−ＲＯＭの最新規格である「ＢＤ−ＲＯＭ  Ｐｒｏｆｉｌｅ  ２．０」には、新たに「ＢＤ−Ｌｉｖｅ」という機能が定義されている。
【手続補正３】
【補正対象書類名】明細書
【補正対象項目名】００１３
【補正方法】変更
【補正の内容】
【００１３】
また、前記光ディスク再生装置が、前記ＬＡＮモジュールを利用して、インターネット上の所定のＷｅｂサイトにアクセスし、再生中であるＢｌｕ−ｒａｙ  Ｄｉｓｃ（登録商標）のコンテンツに対応した補助データをインターネット経由でダウンロードして前記Ｂｌｕ−ｒａｙ  Ｄｉｓｃ以外の記憶装置に記録し、ダウンロードした補助データを利用しながら前記Ｂｌｕ−ｒａｙ  Ｄｉｓｃのコンテンツを再生する特殊再生機能を有する光ディスク再生装置であって、前記Ｂｌｕ−ｒａｙ  Ｄｉｓｃの再生中であって、インターネット接続が不要な期間中は、前記ＬＡＮモジュールの動作が一時停止するようにしてもよい。
【手続補正４】
【補正対象書類名】明細書
【補正対象項目名】００１４
【補正方法】変更
【補正の内容】
【００１４】
また、前記Ｂｌｕ−ｒａｙ  Ｄｉｓｃの再生中であって、インターネット接続が不要な期間の少なくとも一つが、前記Ｂｌｕ−ｒａｙ  Ｄｉｓｃに記録されている本編映像の再生開始から前記本編映像の再生停止またはポップアップメニューの表示開始までの期間であり、前記ポップアップメニューが前記特殊再生機能の選択項目を含んでいるようにしてもよい。
【手続補正５】
【補正対象書類名】明細書
【補正対象項目名】００１５
【補正方法】変更
【補正の内容】
【００１５】
また、前記Ｂｌｕ−ｒａｙ  Ｄｉｓｃの再生中であって、インターネット接続が不要な期間の少なくとも一つが、前記ポップアップメニューの表示終了から前記本編映像の再生停止または前記ポップアップメニューの表示再開までの期間であってもよい。